(57)【要約】簡易な操作で必要な情報を過不足なく記憶することができ、しかも複数人で共有することが可能な情報記憶システム及び情報記憶方法を提供する。  オン信号又はオフ信号の入力を受け付ける複数の押圧式のスイッチを有する入力ユニットと、スイッチを識別する識別情報とメッセージとを対応付けて記憶し、スイッチで受け付けた入力に応じて、対応するメッセージを出力するデータサーバとを備える。入力ユニットは、オン信号又はオフ信号、及び識別情報をデータサーバへ送信する。データサーバは、オン信号又はオフ信号、及び識別情報を受信し、オン信号とともに受信した識別情報に対応するメッセージを抽出して出力する。
2014178156.tif 000002
【特許請求の範囲】
【請求項１】
オン信号又はオフ信号の入力を受け付ける複数の押圧式のスイッチを有する入力ユニットと、
前記スイッチを識別する識別情報とメッセージとを対応付けて記憶し、前記スイッチで受け付けた入力に応じて、対応するメッセージを出力するデータサーバと
を備え、前記入力ユニットと前記データサーバとがデータ通信することが可能に接続されている情報記憶システムであって、
前記入力ユニットは、
オン信号又はオフ信号、及び前記識別情報を前記データサーバへ送信する信号送信手段を備え、
前記データサーバは、
オン信号又はオフ信号、及び前記識別情報を受信する信号受信手段と、
前記オン信号とともに受信した前記識別情報に対応するメッセージを抽出して出力する出力手段と
を備えることを特徴とする情報記憶システム。
【請求項２】
前記データサーバは、前記識別情報ごとに、オン状態である旨を示す情報を記憶することを特徴とする請求項１に記載の情報記憶システム。
【請求項３】
前記データサーバは、
オン信号を受信した場合、オン状態である旨を示す情報を前記識別情報に対応付けて記憶し、
オフ信号を受信した場合、オン状態である旨を示す情報が前記識別情報に対応付けて記憶されているか否かを判断し、記憶されている場合にはオン状態である旨を示す情報を削除することを特徴とする請求項１又は２に記載の情報記憶システム。
【請求項４】
前記データサーバとデータ通信することが可能に接続された端末ユニットを備え、
該端末ユニットは、前記データサーバから出力されたメッセージを表示する表示手段を備えることを特徴とする請求項１乃至３のいずれか一項に記載の情報記憶システム。
【請求項５】
前記端末ユニットは、
表示されているメッセージの削除要求の入力を受け付ける削除要求受付手段と、
削除要求の対象となるメッセージ及び対応する前記識別情報を前記データサーバへ送信する削除要求送信手段と
を備え、
前記データサーバは、
削除要求の対象となるメッセージ及び対応する前記識別情報を受信する削除要求受信手段と、
受信した識別情報に対応するオン状態である旨を示す情報を削除する削除手段と
を備えることを特徴とする請求項１乃至４のいずれか一項に記載の情報記憶システム。
【請求項６】
前記入力ユニットは、人の存在を検知する人感センサを備え、
該人感センサで人の存在を検知した場合、電力が供給されることを特徴とする請求項１乃至５のいずれか一項に記載の情報記憶システム。
【請求項７】
前記データサーバは、一定時間内に同じ識別情報のオン信号及びオフ信号を所定回数以上受信したか否かを判断し、
受信したと判断した場合、一定時間内に受信した回数が奇数であるか否かを判断し、
奇数であると判断した場合、受信した識別情報に対応するメッセージに緊急度フラグを付して出力することを特徴とする請求項１に記載の情報記憶システム。
【請求項８】
オン信号又はオフ信号の入力を受け付ける複数の押圧式のスイッチを有する入力ユニットと、
前記スイッチを識別する識別情報とメッセージとを対応付けて記憶し、前記スイッチで受け付けた入力に応じて、対応するメッセージを出力するデータサーバと
を備え、前記入力ユニットと前記データサーバとがデータ通信することが可能に接続されているシステムで実行することが可能な情報記憶方法であって、
前記入力ユニットは、
オン信号又はオフ信号、及び前記識別情報を前記データサーバへ送信し、
前記データサーバは、
オン信号又はオフ信号、及び前記識別情報を受信し、
前記オン信号とともに受信した前記識別情報に対応するメッセージを抽出して出力することを特徴とする情報記憶方法。
【請求項９】
前記データサーバは、前記識別情報ごとに、オン状態である旨を示す情報を記憶することを特徴とする請求項８に記載の情報記憶方法。
【請求項１０】
前記データサーバは、
オン信号を受信した場合、オン状態である旨を示す情報を前記識別情報に対応付けて記憶し、
オフ信号を受信した場合、オン状態である旨を示す情報が前記識別情報に対応付けて記憶されているか否かを判断し、記憶されている場合にはオン状態である旨を示す情報を削除することを特徴とする請求項８又は９に記載の情報記憶方法。
【請求項１１】
前記データサーバとデータ通信することが可能に接続された端末ユニットを備え、
該端末ユニットは、前記データサーバから出力されたメッセージを表示することを特徴とする請求項８乃至１０のいずれか一項に記載の情報記憶方法。
【請求項１２】
前記端末ユニットは、
表示されているメッセージの削除要求の入力を受け付け、
削除要求の対象となるメッセージ及び対応する前記識別情報を前記データサーバへ送信し、
前記データサーバは、
削除要求の対象となるメッセージ及び対応する前記識別情報を受信し、
受信した識別情報に対応するオン状態である旨を示す情報を削除することを特徴とする請求項８乃至１１のいずれか一項に記載の情報記憶方法。
【請求項１３】
前記入力ユニットは、人の存在を検知することができ、
人の存在を検知した場合、電力が供給されることを特徴とする請求項８乃至１２のいずれか一項に記載の情報記憶方法。
【請求項１４】
前記データサーバは、一定時間内に同じ識別情報のオン信号及びオフ信号を所定回数以上受信したか否かを判断し、
受信したと判断した場合、一定時間内に受信した回数が奇数であるか否かを判断し、
奇数であると判断した場合、受信した識別情報に対応するメッセージに緊急度フラグを付して出力することを特徴とする請求項８に記載の情報記憶方法。
【発明の詳細な説明】
【技術分野】
【０００１】
本発明は、手が離せない状態であっても、簡易な情報を容易に記憶させることができ、記憶させた情報を複数人で共有することが可能な情報記憶システム及び情報記憶方法に関する。
【背景技術】
【０００２】
スマートフォンの普及により、一般家庭内においても様々なコンピュータアプリケーションを使用することができる環境が整いつつある。特に無線ＬＡＮ環境においては、家庭内に存在する端末相互間でのみ、高速でしかも安全に情報の送受信を行うことができる。【０００３】
スマートフォンやタブレット端末等は、両手で入力することが基本である。例えばタブレット端末では、左手で支持して、右手でタッチパネル画面を操作する。何らかの情報をテキストデータで入力する場合、タッチパネル画面を操作してテキストデータを入力して記憶させる。【０００４】
また、入力されて記憶されたテキストデータを複数人で共有する必要がある場合、例えば掲示板システムを用いて共有することが多い。特許文献１には、入力されて記憶されたテキストデータを複数人で共有する小型端末用の掲示板システム及び掲示方法が開示されている。特許文献１では、ＰＣ画面であろうと、小型携帯端末機の画面であろうと、最適な状態で画面表示をすることを可能とすることで、掲示板システムの利便性を高めている。
【先行技術文献】
【特許文献】
【０００５】
【特許文献１】特開２００２−０７３４６６号公報
【発明の概要】
【発明が解決しようとする課題】
【０００６】
特許文献１に開示された掲示板システムでは、テキストデータを共有はできるものの、誤解の生じない情報としてテキストデータを入力しなければならない。そのためには、テキストデータを正しい文法で正確に入力する必要が生じる。しかし、あらゆる場面で正しい文法で入力されたテキストデータとして情報が要求されるものでもない。【０００７】
例えば家庭においては、「牛乳切れ」、「パン残り少ない」等の断片的な情報を家族間で共有することで、効率良く家庭生活を営むことができる。この場合、テキストデータとして詳細な情報は必要ではなく、事象を表す情報でありさえすれば足りることが多い。【０００８】
また、ある情報を残すべきと判断した時点で両手がふさがっている、入力機器を操作することができない等の理由により、テキストデータの入力が困難である場合もある。しばらくしてから入力すれば足りるが、入力忘れ等の原因となり、残すべきと判断した情報が失われることの方が多い。【０００９】
本発明は斯かる事情に鑑みてなされたものであり、簡易な操作で必要な情報を過不足なく記憶することができ、記憶した情報を複数人で共有することが可能な情報記憶システム及び情報記憶方法を提供することを目的とする。
【課題を解決するための手段】
【００１０】
上記目的を達成するために本発明に係る情報記憶システムは、オン信号又はオフ信号の入力を受け付ける複数の押圧式のスイッチを有する入力ユニットと、前記スイッチを識別する識別情報とメッセージとを対応付けて記憶し、前記スイッチで受け付けた入力に応じて、対応するメッセージを出力するデータサーバとを備え、前記入力ユニットと前記データサーバとがデータ通信することが可能に接続されている情報記憶システムであって、前記入力ユニットは、オン信号又はオフ信号、及び前記識別情報を前記データサーバへ送信する信号送信手段を備え、前記データサーバは、オン信号又はオフ信号、及び前記識別情報を受信する信号受信手段と、前記オン信号とともに受信した前記識別情報に対応するメッセージを抽出して出力する出力手段とを備えることを特徴とする。【００１１】
上記構成では、入力ユニットが、複数の押圧式のスイッチを有しており、それぞれのスイッチが押下げられた場合に出力するべきメッセージを対応付けて記憶してあるので、押下げられたスイッチの位置に応じて特定の意味を有するメッセージを確実に出力することができる。また、押圧式のスイッチを押下げるだけで所望のメッセージを出力することができるので、例えば両手がふさがっている場合であっても、ひじ、折り曲げた指の第二関節等の体の一部を用いて押圧式のスイッチを押下げることにより、所望のメッセージを出力することができる。【００１２】
また、本発明に係る情報記憶システムは、前記データサーバは、前記識別情報ごとに、オン状態である旨を示す情報を記憶することが好ましい。【００１３】
上記構成では、記憶されているメッセージに対応する識別情報ごとに、オン状態である旨を示す情報を記憶しているので、押圧式のスイッチが押下げられることにより変動するメッセージごとの出力ステータスを正しく把握することが可能となる。【００１４】
また、本発明に係る情報記憶システムは、前記データサーバは、オン信号を受信した場合、オン状態である旨を示す情報を前記識別情報に対応付けて記憶し、オフ信号を受信した場合、オン状態である旨を示す情報が前記識別情報に対応付けて記憶されているか否かを判断し、記憶されている場合にはオン状態である旨を示す情報を削除することが好ましい。【００１５】
上記構成では、オン信号を受信した場合、オン状態である旨を示す情報を識別情報に対応付けて記憶し、オフ信号を受信した場合、オン状態である旨を示す情報が識別情報に対応付けて記憶されている場合にはオン状態である旨を示す情報を削除する。これにより、押圧式のスイッチを押すだけで所望のメッセージの出力のオンオフ制御をすることが可能となる。【００１６】
また、本発明に係る情報記憶システムは、前記データサーバとデータ通信することが可能に接続された端末ユニットを備え、該端末ユニットは、前記データサーバから出力されたメッセージを表示する表示手段を備えることが好ましい。【００１７】
上記構成では、端末ユニットが、データサーバから出力されたメッセージを表示することができるので、所望のメッセージを複数人で共有することが可能となる。【００１８】
また、本発明に係る情報記憶システムは、前記端末ユニットは、表示されているメッセージの削除要求の入力を受け付ける削除要求受付手段と、削除要求の対象となるメッセージ及び対応する前記識別情報を前記データサーバへ送信する削除要求送信手段とを備え、前記データサーバは、削除要求の対象となるメッセージ及び対応する前記識別情報を受信する削除要求受信手段と、受信した識別情報に対応するオン状態である旨を示す情報を削除する削除手段とを備えることが好ましい。【００１９】
上記構成では、端末ユニットは、表示されているメッセージの削除要求の入力を受け付けることができ、データサーバにおいて、メッセージに対応するオン状態である旨を示す情報を削除することができるので、メッセージで表示されている用件が完了した時点で、端末ユニットからメッセージの表示を消去することが可能となる。【００２０】
また、本発明に係る情報記憶システムは、前記入力ユニットは、人の存在を検知する人感センサを備え、該人感センサで人の存在を検知した場合、電力が供給されることが好ましい。【００２１】
上記構成では、人感センサで人の存在を検知した場合にのみ、入力ユニットに電力が供給されるので、電力消費を最小限に抑えることが可能となる。【００２２】
また、本発明に係る情報記憶システムは、前記データサーバは、一定時間内に同じ識別情報のオン信号及びオフ信号を所定回数以上受信したか否かを判断し、受信したと判断した場合、一定時間内に受信した回数が奇数であるか否かを判断し、奇数であると判断した場合、受信した識別情報に対応するメッセージに緊急度フラグを付して出力することが好ましい。【００２３】
上記構成では、一定時間内に同じ識別情報のオン信号及びオフ信号を所定回数以上受信したか否かを判断し、受信したと判断した場合、一定時間内に受信した回数が奇数であるか否かを判断し、奇数であると判断した場合、受信した識別情報に対応するメッセージに緊急度フラグを付して出力する。これにより、同じ押圧式のスイッチを一定の割合以上の頻度で連打した場合には、緊急の用件であることを示す緊急度フラグを付することができるので、メッセージの表示色やサイズを変えることで、緊急度に応じた行動を促すことが可能となる。【００２４】
次に、上記目的を達成するために本発明に係る情報記憶方法は、オン信号又はオフ信号の入力を受け付ける複数の押圧式のスイッチを有する入力ユニットと、前記スイッチを識別する識別情報とメッセージとを対応付けて記憶し、前記スイッチで受け付けた入力に応じて、対応するメッセージを出力するデータサーバとを備え、前記入力ユニットと前記データサーバとがデータ通信することが可能に接続されているシステムで実行することが可能な情報記憶方法であって、前記入力ユニットは、オン信号又はオフ信号、及び前記識別情報を前記データサーバへ送信し、前記データサーバは、オン信号又はオフ信号、及び前記識別情報を受信し、前記オン信号とともに受信した前記識別情報に対応するメッセージを抽出して出力することを特徴とする。【００２５】
上記構成では、入力ユニットが、複数の押圧式のスイッチを有しており、それぞれのスイッチが押下げられた場合に出力するべきメッセージを対応付けて記憶してあるので、押下げられたスイッチの位置に応じて特定の意味を有するメッセージを確実に出力することができる。また、押圧式のスイッチを押下げるだけで所望のメッセージを出力することができるので、例えば両手がふさがっている場合であっても、ひじ、折り曲げた指の第二関節等の体の一部を用いて押圧式のスイッチを押下げることにより、所望のメッセージを出力することができる。【００２６】
また、本発明に係る情報記憶方法は、前記データサーバは、前記識別情報ごとに、オン状態である旨を示す情報を記憶することが好ましい。【００２７】
上記構成では、記憶されているメッセージに対応する識別情報ごとに、オン状態である旨を示す情報を記憶しているので、押圧式のスイッチが押下げられることにより変動するメッセージごとの出力ステータスを正しく把握することが可能となる。【００２８】
また、本発明に係る情報記憶方法は、前記データサーバは、オン信号を受信した場合、オン状態である旨を示す情報を前記識別情報に対応付けて記憶し、オフ信号を受信した場合、オン状態である旨を示す情報が前記識別情報に対応付けて記憶されているか否かを判断し、記憶されている場合にはオン状態である旨を示す情報を削除することが好ましい。【００２９】
上記構成では、オン信号を受信した場合、オン状態である旨を示す情報を識別情報に対応付けて記憶し、オフ信号を受信した場合、オン状態である旨を示す情報が識別情報に対応付けて記憶されている場合にはオン状態である旨を示す情報を削除する。これにより、押圧式のスイッチを押すだけで所望のメッセージの出力のオンオフ制御をすることが可能となる。【００３０】
また、本発明に係る情報記憶方法は、前記データサーバとデータ通信することが可能に接続された端末ユニットを備え、該端末ユニットは、前記データサーバから出力されたメッセージを表示することが好ましい。【００３１】
上記構成では、端末ユニットが、データサーバから出力されたメッセージを表示することができるので、所望のメッセージを複数人で共有することが可能となる。【００３２】
また、本発明に係る情報記憶方法は、前記端末ユニットは、表示されているメッセージの削除要求の入力を受け付け、削除要求の対象となるメッセージ及び対応する前記識別情報を前記データサーバへ送信し、前記データサーバは、削除要求の対象となるメッセージ及び対応する前記識別情報を受信し、受信した識別情報に対応するオン状態である旨を示す情報を削除することが好ましい。【００３３】
上記構成では、端末ユニットは、表示されているメッセージの削除要求の入力を受け付けることができ、データサーバにおいて、メッセージに対応するオン状態である旨を示す情報を削除することができるので、メッセージで表示されている用件が完了した時点で、端末ユニットからでもメッセージの表示を消去することが可能となる。【００３４】
また、本発明に係る情報記憶方法は、前記入力ユニットは、人の存在を検知することができ、人の存在を検知した場合、電力が供給されることが好ましい。【００３５】
上記構成では、人感センサ等で人の存在を検知した場合にのみ、入力ユニットに電力が供給されるので、電力消費を最小限に抑えることが可能となる。【００３６】
また、本発明に係る情報記憶方法は、前記データサーバは、一定時間内に同じ識別情報のオン信号及びオフ信号を所定回数以上受信したか否かを判断し、受信したと判断した場合、一定時間内に受信した回数が奇数であるか否かを判断し、奇数であると判断した場合、受信した識別情報に対応するメッセージに緊急度フラグを付して出力することが好ましい。【００３７】
上記構成では、一定時間内に同じ識別情報のオン信号及びオフ信号を所定回数以上受信したか否かを判断し、受信したと判断した場合、一定時間内に受信した回数が奇数であるか否かを判断し、奇数であると判断した場合、受信した識別情報に対応するメッセージに緊急度フラグを付して出力する。これにより、同じ押圧式のスイッチを一定の割合以上の頻度で連打した場合には、緊急の用件であることを示す緊急度フラグを付することができるので、メッセージの表示色やサイズを変えることで、緊急度に応じた行動を促すことが可能となる。
【発明の効果】
【００３８】
上記構成によれば、入力ユニットが、複数の押圧式のスイッチを有しており、それぞれのスイッチが押下げられた場合に出力するべきメッセージを対応付けて記憶してあるので、押下げられたスイッチの位置に応じて特定の意味を有するメッセージを確実に出力することができる。また、押圧式のスイッチを押下げるだけで所望のメッセージを出力することができるので、例えば両手がふさがっている場合であっても、ひじ、折り曲げた指の第二関節等の体の一部を用いて押圧式のスイッチを押下げることにより、所望のメッセージを出力することができる。
【図面の簡単な説明】
【００３９】
【図１】本発明の実施の形態１に係る情報記憶システムの構成を示すブロック図である。
【図２】本発明の実施の形態１に係る情報記憶システムの入力ユニットの構成を示すブロック図である。
【図３】本発明の実施の形態１に係る情報記憶システムの入力ユニットの、ダブルバンドの場合の通信部の構成を示す部分ブロック図である。
【図４】本発明の実施の形態１に係る情報記憶システムの入力ユニットの、ボタンが一列に配置されている場合の入力検知方法の例示図である。
【図５】本発明の実施の形態１に係る情報記憶システムの入力ユニットの、ボタンが行列状に縦横に配置されている場合の入力検知方法の例示図である。
【図６】本発明の実施の形態１に係る情報記憶システムのデータサーバの構成例を示すブロック図である。
【図７】本発明の実施の形態１に係る情報記憶システムのメッセージ記憶部に記憶されているデータのデータ構成の例示図である。
【図８】本発明の実施の形態１に係る情報記憶システムの機能ブロック図である。
【図９】本発明の実施の形態１に係る情報記憶システムのデータサーバのＣＰＵの処理手順を示すフローチャートである。
【図１０】本発明の実施の形態２に係る情報記憶システムの端末ユニットで表示される画面の例示図である。
【図１１】本発明の実施の形態２に係る情報記憶システムの機能ブロック図である。
【図１２】本発明の実施の形態２に係る情報記憶システムのデータサーバのＣＰＵの処理手順を示すフローチャートである。
【図１３】本発明の実施の形態３に係る情報記憶システムの端末ユニットで表示される画面の例示図である。
【図１４】本発明の実施の形態３に係る情報記憶システムのデータサーバのＣＰＵの処理手順を示すフローチャートである。
【図１５】本発明の実施の形態４に係る情報記憶システムの入力ユニットの、人感センサを備える場合の入力検知方法の例示図である。
【発明を実施するための形態】
【００４０】
以下、本発明の実施の形態に係る情報記憶システムについて、図面に基づいて具体的に説明する。
【００４１】
（実施の形態１）
図１は、本発明の実施の形態１に係る情報記憶システムの構成を示すブロック図である。図１に示すように、本実施の形態１に係る情報記憶システムは、入力ユニット１と、データサーバ３と、端末ユニット４とで構成されている。図１の例では、データサーバ３の設置場所によらず、入力ユニット１とデータサーバ３との間のデータ通信を確実に行うことができるよう、通信ノード２を設けている。通信ノード２は、例えばゲートウエイ機器等を意味している。通信ノード２とデータサーバ３とは、インターネット等の任意のネットワーク網５を介してデータ通信することが可能に接続されている。データサーバ３は、クラウドサーバであっても良い。
【００４２】
入力ユニット１は、無線ＬＡＮ、Ｂｌｕｅｔｏｏｔｈ（登録商標）、ＺｉｇＢｅｅ等の通信方式により、オン信号又はオフ信号を通信ノード２へ送信する。図２は、本発明の実施の形態１に係る情報記憶システムの入力ユニット１の構成を示すブロック図である。
【００４３】
図２に示すように、本実施の形態１に係る情報記憶システムの入力ユニット１は、オン信号又はオフ信号の入力を受け付ける押圧式のスイッチである複数のボタン１０を有している。複数のボタン１０は、ＧＰＩＯ（Ｇｅｎｅｒａｌ  Ｐｕｒｐｏｓｅ  Ｉｎｐｕｔ  Ｏｕｔｐｕｔ）インタフェースを介してマイコン１３と接続されている。
【００４４】
マイコン１３は、複数のボタン１０からオン信号又はオフ信号を、ボタン１０ごとに固有の識別情報とともに受信する。そして、外部へ無線ＬＡＮ通信経由で送信するべく、複数のボタン１０から受信したオン信号又はオフ信号、及び識別情報を無線ＬＡＮ通信用ＩＣ１２に送信する。マイコン１３と無線ＬＡＮ通信用ＩＣ１２との間の通信インタフェースは特に限定されるものではなく、例えばＳＤカードの入出力に用いられているＳＤ規格であるＳＤＩＯ（Ｓｅｃｕｒｅ  Ｄｉｇｉｔａｌ  Ｉｎｐｕｔ  Ｏｕｔｐｕｔ）、コンピュータ内部の通信規格であるＳＰＩ（Ｓｅｒｉａｌ  Ｐｅｒｉｐｈｅｒａｌ  Ｉｎｔｅｒｆａｃｅ）、ＵＳＢ（Ｕｎｉｖｅｒｓａｌ  Ｓｅｒｉａｌ  Ｂｕｓ）等を用いれば足りる。
【００４５】
図２では、無線ＬＡＮ通信用ＩＣ１２は、マイコン１３と独立して設けているが、統合モジュールとして一体で設けていても良い。以下、説明を簡単にするために、複数のボタン１０と接続されたモジュール全体を便宜上入力モジュール１１と呼ぶ。
【００４６】
入力モジュール１１の無線ＬＡＮ通信用ＩＣ１２には、送受信帯域が２．４ＧＨｚのシングルバンドの送受信回路を備えた通信モジュール１５を介して無線ＬＡＮ通信用のアンテナ１４を設けてある。受信したオン信号又はオフ信号、及び識別情報は、アンテナ１４から通信ノード２へ送信される。
【００４７】
もちろん、無線ＬＡＮ通信にシングルバンドの送受信回路を備えた通信モジュールを用いることに限定されるものではなく、通信速度を上げるためにダブルバンドの送受信回路を備えた通信モジュールを用いても良い。図３は、本発明の実施の形態１に係る情報記憶システムの入力ユニット１の、ダブルバンドの場合の通信部の構成を示す部分ブロック図である。
【００４８】
図３に示すように、ダブルバンドの送受信回路を備えた通信モジュールの場合、送受信帯域が２．４ＧＨｚだけでなく、５ＧＨｚも用いることができるように、入力モジュール１１の無線ＬＡＮ通信用ＩＣ１２には、送受信帯域ごとの送受信回路を備えた通信モジュール１６、１７を介してデータ通信用のアンテナ１４を設けてある。送受信回路を備えた通信モジュール１６、１７とアンテナ１４との間には、ダイプレクサ（分波器）１８が設けてある。
【００４９】
また、入力ユニット１のボタン１０の配置及び入力検知方法は、特に限定されるものではなく、日常生活において詳細なメモを取る必要はないが、記憶しておけば役立つ情報の種類の数だけ別個のボタン１０を備えていれば良い。図４は、本発明の実施の形態１に係る情報記憶システムの入力ユニット１の、ボタン１０が一列に配置されている場合の入力検知方法の例示図である。
【００５０】
図４の例では、ボタン１０が押下げられると接地電極と接触するようにしてある。そして、一列に配置されているボタン１０のうち、例えばボタン１０ａが押下げられた場合、ボタン１０ａに接続されているＧＰＩＯインタフェースの出力電圧レベルがＬＯＷになる。入力モジュール１１のボタン検出部１１０は、出力電圧レベルがＬＯＷになったボタン１０がどれかを検出することで、ボタン１０ａが押下げられたことを特定することができる。
【００５１】
また、図５は、本発明の実施の形態１に係る情報記憶システムの入力ユニット１の、ボタン１０が行列状に縦横に配置されている場合の入力検知方法の例示図である。図５の例でも、ボタン１０が押下げられると接地電極と接触するようにしてある。そして、行列状に配置されている複数のボタン１０のうち、例えばボタン１０ａが押下げられた場合、ボタン１０ａに接続されている行側のＧＰＩＯインタフェース及び列側のＧＰＩＯインタフェースの出力電圧レベルがＬＯＷになる。
【００５２】
入力モジュール１１の第一ボタン検出部１１０ａは、出力電圧レベルがＬＯＷになった行を検出し、第二ボタン検出部１１０ｂは、出力電圧レベルがＬＯＷになった列を検出するので、ボタン１０ａが押下げられたことを特定することができる。このようにして、行列状に縦横に配置された複数のボタン１０のうち、どのボタン１０が押下げられたのかを特定する。
【００５３】
図６は、本発明の実施の形態１に係る情報記憶システムのデータサーバ３の構成例を示すブロック図である。図６に示すように、本発明の実施の形態１に係るデータサーバ３は、少なくともＣＰＵ（中央演算装置）３１、メモリ３２、記憶装置３３、通信インタフェース３４、Ｉ／Ｏインタフェース３５、表示インタフェース３６、及び上述したハードウェアを接続する内部バス３７で構成されている。
【００５４】
ＣＰＵ３１は、内部バス３７を介してデータサーバ３の上述したようなハードウェア各部と接続されており、上述したハードウェア各部の動作を制御するとともに、記憶装置３３に記憶されているコンピュータプログラムに従って、種々のソフトウェア的機能を実行する。メモリ３２は、ＳＲＡＭ（Ｓｔａｔｉｃ  Ｒａｎｄａｍ  Ａｃｃｅｓｓ  Ｍｅｍｏｒｙ）、ＳＤＲＡＭ（Ｓｙｎｃｈｒｏｎｏｕｓ  Ｄｙｎａｍｉｃ  Ａｃｃｅｓｓ  Ｍｅｍｏｒｙ）等の揮発性メモリで構成され、コンピュータプログラムの実行時にロードモジュールが展開され、コンピュータプログラムの実行時に発生する一時的なデータ等を記憶する。
【００５５】
記憶装置３３は、内蔵される固定型記憶装置（ハードディスク）、ＲＯＭ（Ｒｅａｄ  Ｏｎｌｙ  Ｍｅｍｏｒｙ）等で構成されている。記憶装置３３に記憶されているコンピュータプログラムは、プログラム及びデータ等の情報を記録したＤＶＤ、ＣＤ−ＲＯＭ等の可搬型記録媒体から、あるいは通信インタフェース３４を介して外部のコンピュータからダウンロードされ、実行時には記憶装置３３からメモリ３２へ展開して実行される。
【００５６】
また記憶装置３３は、メッセージ記憶部３３１を備えている。メッセージ記憶部３３１には、押下げられたボタン１０によって受信したオン信号により、端末ユニット４に出力するべきメッセージが記憶されている。図７は、本発明の実施の形態１に係る情報記憶システムのメッセージ記憶部３３１に記憶されているデータのデータ構成の例示図である。
【００５７】
図７に示すように、入力ユニット１が備えている複数のボタン１０ごとに固有の識別情報としてボタンＩＤを付しており、ボタンＩＤごとに出力するべきメッセージを記憶している。
【００５８】
また、オン状態である旨を示す情報であるオンフラグが、ボタンＩＤごとに記憶されている。ボタン１０が押下げられ、データサーバ３が、オン信号を受信した場合、データサーバ３は、対応するボタンＩＤのオンフラグを‘１’に設定する。逆に、ボタン１０が押下げられ、データサーバ３が、オフ信号を受信した場合、データサーバ３は、対応するボタンＩＤのオンフラグを‘０’に設定する。オンフラグが‘１’に設定されているメッセージが抽出され、端末ユニット４に出力される。
【００５９】
図６に戻って、通信インタフェース３４は内部バス３７に接続されており、インターネット、ＬＡＮ、ＷＡＮ等の外部のネットワーク網５に接続されることにより、外部のコンピュータ等とデータ送受信を行うことが可能となっている。また、通信ノード２、一又は複数の端末ユニット４ともネットワーク網５を介して接続されている。
【００６０】
Ｉ／Ｏインタフェース３５は、キーボード、マウス等のデータの入力装置３８と接続され、入力を受け付ける。データサーバ３をユーザが操作可能な場所に設置する場合には、データサーバ３で直接、メッセージ記憶部３３１に記憶されるメッセージの入力を受け付けても良い。また、表示インタフェース３６は、ＣＲＴモニタ、ＬＣＤ等の表示装置３９と接続され、メッセージ記憶部３３１に記憶されているデータを確認することができる。
【００６１】
図１に戻って、データサーバ３は、一又は複数の端末ユニット４とデータ通信することが可能に接続されている。端末ユニット４は、特に限定されるものではなく、少なくともメッセージを入力することができる入力装置、メッセージを表示することができる表示装置を備えるコンピュータであれば何でも良い。携帯性、可搬性を有しているとより好ましい。例えば、スマートフォンやタブレット端末等である。
【００６２】
図８は、本発明の実施の形態１に係る情報記憶システムの機能ブロック図である。図８に示すように、入力ユニット１の信号送信手段１０１は、オン信号又はオフ信号、及び識別情報であるボタンＩＤをデータサーバ３へ送信する。なお、通信ノード２は、送受信されるデータを仲介するだけであるので、以後の説明では省略している。
【００６３】
データサーバ３の信号受信手段３０１は、入力ユニット１から送信された、オン信号又はオフ信号、及びボタンＩＤを受信する。オン信号判断手段３０２は、受信した信号がオン信号であるか否かを判断する。
【００６４】
オン信号判断手段３０２が、受信した信号がオン信号であると判断した場合、オンフラグ設定手段３０３は、メッセージ記憶部３３１に、オン状態である旨を示す情報であるオンフラグを‘１’に設定して記憶する。オン信号判断手段３０２が、受信した信号がオフ信号であると判断した場合、オンフラグ削除手段３０４は、メッセージ記憶部３３１に記憶されている、オン状態である旨を示す情報であるオンフラグを削除する。具体的にはオンフラグを‘０’に設定して記憶する。
【００６５】
出力手段３０５は、オンフラグが‘１’であるメッセージを抽出して、ボタンＩＤとともに端末ユニット４へ送信する。端末ユニット４の受信手段４０１は、データサーバ３から送信されたメッセージ及びボタンＩＤを受信し、表示手段４０２は、受信したメッセージを表示する。
【００６６】
図９は、本発明の実施の形態１に係る情報記憶システムのデータサーバ３のＣＰＵ３１の処理手順を示すフローチャートである。図９に示すように、データサーバ３のＣＰＵ３１は、入力ユニット１から送信された、オン信号又はオフ信号、及びボタンＩＤを受信し（ステップＳ９０１）、受信した信号がオン信号であるか否かを判断する（ステップＳ９０２）。
【００６７】
ＣＰＵ３１が、受信した信号がオン信号であると判断した場合（ステップＳ９０２：ＹＥＳ）、ＣＰＵ３１は、メッセージ記憶部３３１に、オン状態である旨を示す情報であるオンフラグを‘１’に設定して記憶する（ステップＳ９０３）。ＣＰＵ３１が、受信した信号がオフ信号であると判断した場合（ステップＳ９０２：ＮＯ）、ＣＰＵ３１は、メッセージ記憶部３３１に、オンフラグを‘０’に設定して記憶する（ステップＳ９０４）。
【００６８】
ＣＰＵ３１は、オンフラグが‘１’であるメッセージを、対応するボタンＩＤとともに端末ユニット４へ送信する（ステップＳ９０５）。
【００６９】
以上のように本実施の形態１によれば、入力ユニット１が、複数の押圧式のボタン（スイッチ）１０を有しており、データサーバ３が、それぞれに対してボタン１０が押下げられた場合に出力するべきメッセージを対応付けて記憶してあるので、押下げられたボタン１０の位置に応じて特定の意味を有するメッセージを確実に出力することができる。また、ボタン１０が押圧式であり、押下げるだけで所望のメッセージを出力することができるので、例えば両手がふさがっている場合であっても、ひじ、折り曲げた指の第二関節等の体の一部を用いてボタン１０を押下げることにより、所望のメッセージを出力することができる。
【００７０】
なお、本実施の形態１を家庭内の情報記憶システムとして用いる場合、家庭内に通信ノード２を設置し、外部のデータサーバ３とデータ通信することが可能に接続する。入力ユニット１は、例えば一列に複数のボタン１０を配列した入力ユニットであり、磁石、両面テープ等を用いて冷蔵庫等の前面や、トイレ、洗面所の壁面等に固着させる。入力ユニット１は１個設置しても良いし、必要となる場所に複数備えても良い。
【００７１】
ボタン１０ごとに、「牛乳」、「しょうゆ」、「砂糖」等のメッセージを割り当てておき、購入する必要が生じた場合等に対応するボタン１０を押下げる。端末ユニット４には、押下げられたボタン１０に対応するメッセージが表示される。メッセージの登録は、端末ユニット４から行えば良い。
【００７２】
また、ＭＡＣアドレスやＩＰアドレスにより、メッセージが表示される端末ユニット４を限定することができる。メッセージが表示される端末ユニット４を、家族の所持している端末ユニット４、例えばスマートフォン、タブレット端末等に限定することにより、テキストデータとして入力するまでもない簡易な情報をメモの代わりに記憶、表示、共有することができる。端末ユニット４に「牛乳」と表示された場合、「牛乳がなくなった」こと、すなわち「牛乳を買う必要がある」ことを意味するメッセージであると理解できる。
【００７３】
（実施の形態２）
本発明の実施の形態２に係る情報記憶システムの構成は、実施の形態１と同様であるので、同一の符号を付することにより詳細な説明は省略する。本実施の形態２は、端末ユニット４において表示されているメッセージを表示しないようにできる点で実施の形態１とは相違する。
【００７４】
図１０は、本発明の実施の形態２に係る情報記憶システムの端末ユニット４で表示される画面の例示図である。図１０では、端末ユニット４としてタブレット端末を使用している。もちろん端末ユニット４は、タブレット端末に限定されるものではなく、同様の操作ができれば端末の種類は問わない。
【００７５】
図１０に示すように、表示部４１に、入力ユニット１のボタン１０を押下げることにより選択されたメッセージ４２が表示されている。メッセージごとに、選択タグ４３が表示されており、選択タグ４３の選択を受け付けた状態で完了ボタン４４の選択を受け付けることにより、選択タグ４３の選択を受け付けたメッセージの削除要求がデータサーバ３へ送信される。
【００７６】
図１１は、本発明の実施の形態２に係る情報記憶システムの機能ブロック図である。端末ユニット４の削除要求受付手段４０３は、表示されているメッセージの中から削除する対象となるメッセージの選択を受け付け、削除要求送信手段４０４は、選択を受け付けたメッセージ及び該メッセージに対応付けられているボタンＩＤを削除要求として送信する。
【００７７】
データサーバ３の削除要求受信手段３０６は、削除要求の対象となるメッセージ及びボタンＩＤを受信し、オンフラグ確認手段３０７は、受信したボタンＩＤのオンフラグが‘１’であるか‘０’であるかを確認する。受信したボタンＩＤのオンフラグが‘１’である場合、オンフラグ削除手段３０８は、オンフラグを‘０’に設定して記憶する。これにより、削除要求の対象となるメッセージは端末ユニット４に表示されない。なお、削除要求の対象となるメッセージが端末ユニット４に表示されなくなった場合、データサーバ３は、該メッセージが表示されていた各端末ユニット４に対して、削除メッセージを送信して表示しても良い。削除メッセージとしては、例えば「牛乳は○○さんにより削除されました。」という表示である。これにより、他の端末ユニット４保持者は、牛乳については○○さんが購入したと確認することができる。
【００７８】
受信したボタンＩＤのオンフラグが‘０’である場合、既に他の端末ユニット４保持者によって表示されないように設定されているものと判断して、既完了メッセージ送信手段３０９は、「他の方によってメッセージが削除されました」等の既完了メッセージを端末ユニット４へ送信する。端末ユニット４の表示手段４０２は、受信した既完了メッセージを表示する。
【００７９】
図１２は、本発明の実施の形態２に係る情報記憶システムのデータサーバ３のＣＰＵ３１の処理手順を示すフローチャートである。図１２に示すように、データサーバ３のＣＰＵ３１は、削除要求の対象となるメッセージ及びボタンＩＤを削除要求として受信し（ステップＳ１２０１）、受信したボタンＩＤのオンフラグが‘１’であるか否かを判断する（ステップＳ１２０２）。ＣＰＵ３１が、受信したボタンＩＤのオンフラグが‘１’であると判断した場合（ステップＳ１２０２：ＹＥＳ）、ＣＰＵ３１は、オンフラグを‘０’に設定して記憶する（ステップＳ１２０３）。これにより、対応するメッセージは端末ユニット４に表示されない。
【００８０】
ＣＰＵ３１が、受信したボタンＩＤのオンフラグが‘０’であると判断した場合（ステップＳ１２０２：ＮＯ）、ＣＰＵ３１は、既に他の端末ユニット４保持者によって表示されないように設定されていると判断して、既完了メッセージを端末ユニット４へ送信する（ステップＳ１２０４）。
【００８１】
以上のように本実施の形態２によれば、端末ユニット４は、表示されているメッセージの削除要求の入力を受け付けることができ、データサーバ３において、メッセージに対応するオン状態である旨を示す情報であるオンフラグを削除することができるので、メッセージで表示されている用件が完了した時点で、端末ユニット４からメッセージの表示を削除することが可能となる。
【００８２】
（実施の形態３）
本発明の実施の形態３に係る情報記憶システムの構成は、実施の形態１及び２と同様であるので、同一の符号を付することにより詳細な説明は省略する。本実施の形態３は、入力ユニット１の同じボタン１０を連打した場合に緊急度フラグを付することができる点で実施の形態１とは相違する。
【００８３】
図１３は、本発明の実施の形態３に係る情報記憶システムの端末ユニット４で表示される画面の例示図である。図１３でも、端末ユニット４としてタブレット端末を使用している。端末ユニット４は、タブレット端末に限定されるものではないので、同様の操作ができれば端末の種類は問わない。
【００８４】
図１３に示すように、表示部４１に、入力ユニット１のボタン１０を押下げることにより選択されたメッセージ４２が表示されている。メッセージごとに、選択タグ４３が表示されており、選択タグ４３の横に、緊急度タグ４５がさらに表示されている。同じボタン１０の連打を検知した場合には、緊急度フラグを付することができ、緊急度タグ４５に例えば「レ」印が表示される。緊急度タグ４５により、そのメッセージで示されている用件は、緊急に処理する必要があることを確認することができる。図１３の例では、砂糖を早急に購入する必要があることが分かり、外出中の家族から「私が買おうか」等のメールを受信することが期待できる。
【００８５】
図１４は、本発明の実施の形態３に係る情報記憶システムのデータサーバ３のＣＰＵ３１の処理手順を示すフローチャートである。図１４に示すように、データサーバ３のＣＰＵ３１は、入力ユニット１から送信された、オン信号又はオフ信号、及びボタンＩＤを受信し（ステップＳ１４０１）、最初の受信から一定時間が経過したか否かを判断する（ステップＳ１４０２）。ＣＰＵ３１が、まだ一定時間経過していないと判断した場合（ステップＳ１４０２：ＮＯ）、ＣＰＵ３１は待ち状態となる。
【００８６】
ＣＰＵ３１が、一定時間経過したと判断した場合（ステップＳ１４０２：ＹＥＳ）、ＣＰＵ３１は、同じボタンＩＤのオン信号及びオフ信号を一定時間内に受信した受信回数が所定数より大きいか否かを判断する（ステップＳ１４０３）。ＣＰＵ３１が、所定数より大きいと判断した場合（ステップＳ１４０３：ＹＥＳ）、ＣＰＵ３１は、一定時間内の受信回数が奇数であるか否かを判断する（ステップＳ１４０４）。一定時間内の受信回数が奇数であると判断した場合、受信前の状態がオン状態であればオフ状態に変更するオフ信号、オフ状態であればオン状態に変更するオン信号であると判断することができる。
【００８７】
例えば、受信前の状態がオフ状態であり、ＣＰＵ３１が、受信回数が奇数であると判断した場合（ステップＳ１４０４：ＹＥＳ）、ＣＰＵ３１は、オンフラグが‘１’であるメッセージを抽出し、ボタンＩＤ及び緊急度フラグとともに端末ユニット４へ送信する（ステップＳ１４０５）。ＣＰＵ３１が、受信回数が偶数であると判断した場合（ステップＳ１４０４：ＮＯ）、誤った操作が行われたと判断して処理を終了する。なお、同じボタン１０を連打した回数が偶数であるか奇数であるかは、各ボタン１０に対応するＬＥＤ等の点灯表示により判断することが好ましい。例えばオン状態ならＬＥＤが点灯、オフ状態ならＬＥＤが消灯とした場合、連打する前にＬＥＤが点灯しているときには消灯状態で連打を止めることにより、同じボタン１０を連打した回数が奇数であると判断することができる。
【００８８】
ＣＰＵ３１が、受信回数が所定数以下であると判断した場合（ステップＳ１４０３：ＮＯ）、ＣＰＵ３１は、オンフラグが‘１’であるメッセージを抽出して、ボタンＩＤとともに端末ユニット４へ送信する（ステップＳ１４０６）。
【００８９】
以上のように本実施の形態３によれば、一定時間内に同じ識別情報のオン信号及びオフ信号を所定回数以上受信したか否かを判断し、受信したと判断した場合、一定時間内に受信した回数が奇数であるか否かを判断し、奇数であると判断した場合、受信した識別情報に対応するメッセージに緊急度フラグを付して出力する。これにより、同じ押圧式のボタン（スイッチ）１０を一定の割合以上の頻度で連打した場合には、緊急の用件であることを示す緊急度フラグを付することができるので、メッセージの表示色やサイズを変えることで、緊急度に応じた行動を促すことが可能となる。
【００９０】
なお、本実施の形態３を家庭内情報記憶システムとして用いる場合、メッセージ記憶部３３１において、ボタンＩＤに対応付けて緊急度フラグを記憶しても良い。例えば緊急度フラグが‘１’と記憶されている場合、端末ユニット４に表示される色を変える、サイズを変える、あるいは図１３のように緊急度タグ４５に「レ」印を表示することができる。
【００９１】
（実施の形態４）
本発明の実施の形態４に係る情報記憶システムの構成は、実施の形態１乃至３と同様であるので、同一の符号を付することにより詳細な説明は省略する。本実施の形態４は、入力ユニット１が人感センサを備え、人の存在を検知した時点で電力が供給される省エネ仕様である点で実施の形態１乃至３とは相違する。
【００９２】
図１５は、本発明の実施の形態４に係る情報記憶システムの入力ユニット１の、人感センサを備える場合の入力検知方法の例示図である。図１５の例では、人感センサ３０として赤外線センサを用い、人感センサ３０により人の存在を検知した場合に入力ユニット１に電源から電力が供給される仕組みとしている。なお、人感センサ３０として赤外線センサを用いることに限定されるものではなく、超音波センサ、可視光センサ等を用いても良い。
【００９３】
図１５において、センサ検出部１２０で、人感センサ３０が人の存在を検知した場合、入力モジュール１１に電力が供給され、ボタン検出部１１０及びＬＥＤ出力部１３０が作動する。ボタン１０が押下げられると接地電極と接触する。そして、一列に配置されているボタン１０のうち、例えばボタン１０ａが押下げられた場合、ボタン１０ａに接続されているＧＰＩＯインタフェースの出力電圧レベルがＬＯＷになる。
【００９４】
入力モジュール１１のボタン検出部１１０は、出力電圧レベルがＬＯＷになったボタン１０ａを検出することで、ボタン１０ａが押下げられたことを特定することができる。ＬＥＤ出力部１３０は、複数のＬＥＤ２０の中から、特定されたボタン１０ａに対応するＬＥＤ２０ａを点灯させる。これにより、視覚的にどのボタン１０が押下げられたのかわかるようになっている。
【００９５】
以上のように本実施の形態４によれば、人感センサ３０で人の存在を検知した場合に、入力ユニット１の電源がオン状態となるので、電力消費を最小限に抑えることが可能となる。
【００９６】
その他、上述した実施の形態は、本発明の趣旨を逸脱しない範囲で変更することができることは言うまでもない。例えば通信ノード２をデータの中継に使用しても良いし、データサーバ３自体を家庭内に設置しても良い。また、押圧式のスイッチとは、いわゆる押しボタン方式のスイッチに限定されるものではなく、例えば感圧式のタッチパネル等も含む広い概念である。
【符号の説明】
【００９７】
１  入力ユニット
２  通信ノード
３  データサーバ
４  端末ユニット
１０、１０ａ  ボタン（スイッチ）
１１  入力モジュール
１２  無線ＬＡＮ通信用ＩＣ
１３  マイコン
２０、２０ａ  ＬＥＤ
３０  人感センサ
３１  ＣＰＵ
３２  メモリ
３３  記憶装置
３４  通信インタフェース
３５  Ｉ／Ｏインタフェース
３６  表示インタフェース
３７  内部バス
【図１】
2014178156.tif 000003
【図２】
2014178156.tif 000004
【図３】
2014178156.tif 000005
【図４】
2014178156.tif 000006
【図５】
2014178156.tif 000007
【図６】
2014178156.tif 000008
【図７】
2014178156.tif 000009
【図８】
2014178156.tif 000010
【図９】
2014178156.tif 000011
【図１０】
2014178156.tif 000012
【図１１】
2014178156.tif 000013
【図１２】
2014178156.tif 000014
【図１３】
2014178156.tif 000015
【図１４】
2014178156.tif 000016
【図１５】
2014178156.tif 000017
【手続補正書】
【提出日】平成28年7月20日(2016.7.20)
【手続補正１】
【補正対象書類名】明細書
【補正対象項目名】００１０
【補正方法】変更
【補正の内容】
【００１０】
上記目的を達成するために本発明に係る情報記憶システムは、オン信号又はオフ信号の入力を受け付ける複数の押圧式のスイッチを有する入力ユニットと、前記スイッチを識別する識別情報とメッセージとを対応付けて記憶し、前記スイッチで受け付けた入力に応じて、対応するメッセージを出力するデータサーバとを備え、前記入力ユニットと前記データサーバとがデータ通信することが可能に接続されている情報記憶システムであって、前記入力ユニットは、オン信号又はオフ信号、及び前記識別情報を前記データサーバへ送信する信号送信手段を備え、前記データサーバは、オン信号又はオフ信号、及び前記識別情報を受信する信号受信手段と、前記オン信号とともに受信した前記識別情報に対応するメッセージを抽出して出力する出力手段とを備え、前記データサーバに記憶されているメッセージを外部から書き換えることができることを特徴とする。
【手続補正２】
【補正対象書類名】明細書
【補正対象項目名】００１１
【補正方法】変更
【補正の内容】
【００１１】
上記構成では、入力ユニットが、複数の押圧式のスイッチを有しており、それぞれのスイッチが押下げられた場合に出力するべきメッセージを対応付けて記憶してあるので、押下げられたスイッチの位置に応じて特定の意味を有するメッセージを確実に出力することができる。また、押圧式のスイッチを押下げるだけで所望のメッセージを出力することができるので、例えば両手がふさがっている場合であっても、ひじ、折り曲げた指の第二関節等の体の一部を用いて押圧式のスイッチを押下げることにより、所望のメッセージを出力することができる。さらに、記憶されているメッセージを自由に書き換えることができるので、ユーザごとに適切なメッセージを出力することができる。
次に上記目的を達成するために本発明に係る情報記憶システムは、オン信号又はオフ信号の入力を受け付ける複数の押圧式のスイッチを有する入力ユニットと、前記スイッチを識別する識別情報とメッセージとを対応付けて記憶し、前記スイッチで受け付けた入力に応じて、対応するメッセージを出力するデータサーバとを備え、前記入力ユニットと前記データサーバとがデータ通信することが可能に接続されている情報記憶システムであって、前記入力ユニットは、オン信号又はオフ信号、及び前記識別情報を前記データサーバへ送信する信号送信手段を備え、前記データサーバは、オン信号又はオフ信号、及び前記識別情報を受信する信号受信手段と、前記オン信号とともに受信した前記識別情報に対応するメッセージを抽出して、複数の外部の装置に対して出力する出力手段とを備えることを特徴とする。
上記構成では、入力ユニットが、複数の押圧式のスイッチを有しており、それぞれのスイッチが押下げられた場合に出力するべきメッセージを対応付けて記憶してあるので、押下げられたスイッチの位置に応じて特定の意味を有するメッセージを確実に出力することができる。また、押圧式のスイッチを押下げるだけで所望のメッセージを複数の外部の装置へ出力することができるので、例えば両手がふさがっている場合であっても、ひじ、折り曲げた指の第二関節等の体の一部を用いて押圧式のスイッチを押下げることにより、所望のメッセージを複数の外部の装置へ出力することができる。
【手続補正３】
【補正対象書類名】明細書
【補正対象項目名】００２４
【補正方法】変更
【補正の内容】
【００２４】
次に、上記目的を達成するために本発明に係る情報記憶方法は、オン信号又はオフ信号の入力を受け付ける複数の押圧式のスイッチを有する入力ユニットと、前記スイッチを識別する識別情報とメッセージとを対応付けて記憶し、前記スイッチで受け付けた入力に応じて、対応するメッセージを出力するデータサーバとを備え、前記入力ユニットと前記データサーバとがデータ通信することが可能に接続されているシステムで実行することが可能な情報記憶方法であって、前記入力ユニットは、オン信号又はオフ信号、及び前記識別情報を前記データサーバへ送信し、前記データサーバは、オン信号又はオフ信号、及び前記識別情報を受信し、前記オン信号とともに受信した前記識別情報に対応するメッセージを抽出して出力し、前記データサーバに記憶されているメッセージを外部から書き換えることができることを特徴とする。
【手続補正４】
【補正対象書類名】明細書
【補正対象項目名】００２５
【補正方法】変更
【補正の内容】
【００２５】
上記構成では、入力ユニットが、複数の押圧式のスイッチを有しており、それぞれのスイッチが押下げられた場合に出力するべきメッセージを対応付けて記憶してあるので、押下げられたスイッチの位置に応じて特定の意味を有するメッセージを確実に出力することができる。また、押圧式のスイッチを押下げるだけで所望のメッセージを出力することができるので、例えば両手がふさがっている場合であっても、ひじ、折り曲げた指の第二関節等の体の一部を用いて押圧式のスイッチを押下げることにより、所望のメッセージを出力することができる。さらに、記憶されているメッセージを自由に書き換えることができるので、ユーザごとに適切なメッセージを出力することができる。
次に、上記目的を達成するために本発明に係る情報記憶方法は、オン信号又はオフ信号の入力を受け付ける複数の押圧式のスイッチを有する入力ユニットと、前記スイッチを識別する識別情報とメッセージとを対応付けて記憶し、前記スイッチで受け付けた入力に応じて、対応するメッセージを出力するデータサーバとを備え、前記入力ユニットと前記データサーバとがデータ通信することが可能に接続されているシステムで実行することが可能な情報記憶方法であって、前記入力ユニットは、オン信号又はオフ信号、及び前記識別情報を前記データサーバへ送信し、前記データサーバは、オン信号又はオフ信号、及び前記識別情報を受信し、前記オン信号とともに受信した前記識別情報に対応するメッセージを抽出して、複数の外部の装置に対して出力することを特徴とする。
上記構成では、入力ユニットが、複数の押圧式のスイッチを有しており、それぞれのスイッチが押下げられた場合に出力するべきメッセージを対応付けて記憶してあるので、押下げられたスイッチの位置に応じて特定の意味を有するメッセージを確実に出力することができる。また、押圧式のスイッチを押下げるだけで所望のメッセージを複数の外部の装置へ出力することができるので、例えば両手がふさがっている場合であっても、ひじ、折り曲げた指の第二関節等の体の一部を用いて押圧式のスイッチを押下げることにより、所望のメッセージを複数の外部の装置へ出力することができる。
【手続補正５】
【補正対象書類名】明細書
【補正対象項目名】００３８
【補正方法】変更
【補正の内容】
【００３８】
上記構成によれば、入力ユニットが、複数の押圧式のスイッチを有しており、それぞれのスイッチが押下げられた場合に出力するべきメッセージを対応付けて記憶してあるので、押下げられたスイッチの位置に応じて特定の意味を有するメッセージを確実に出力することができる。また、押圧式のスイッチを押下げるだけで所望のメッセージを出力することができるので、例えば両手がふさがっている場合であっても、ひじ、折り曲げた指の第二関節等の体の一部を用いて押圧式のスイッチを押下げることにより、所望のメッセージを出力することができる。さらに、記憶されているメッセージを自由に書き換えることができるので、ユーザごとに適切なメッセージを出力することができる。
【手続補正６】
【補正対象書類名】特許請求の範囲
【補正対象項目名】全文
【補正方法】変更
【補正の内容】
【特許請求の範囲】
【請求項１】
オン信号又はオフ信号の入力を受け付ける複数の押圧式のスイッチを有する入力ユニットと、
前記スイッチを識別する識別情報とメッセージとを対応付けて記憶し、前記スイッチで受け付けた入力に応じて、対応するメッセージを出力するデータサーバと
を備え、前記入力ユニットと前記データサーバとがデータ通信することが可能に接続されている情報記憶システムであって、
前記入力ユニットは、
オン信号又はオフ信号、及び前記識別情報を前記データサーバへ送信する信号送信手段を備え、
前記データサーバは、
オン信号又はオフ信号、及び前記識別情報を受信する信号受信手段と、
前記オン信号とともに受信した前記識別情報に対応するメッセージを抽出して出力する出力手段と
を備え、
前記データサーバに記憶されているメッセージを外部から書き換えることができることを特徴とする情報記憶システム。
【請求項２】
オン信号又はオフ信号の入力を受け付ける複数の押圧式のスイッチを有する入力ユニットと、
前記スイッチを識別する識別情報とメッセージとを対応付けて記憶し、前記スイッチで受け付けた入力に応じて、対応するメッセージを出力するデータサーバと
を備え、前記入力ユニットと前記データサーバとがデータ通信することが可能に接続されている情報記憶システムであって、
前記入力ユニットは、
オン信号又はオフ信号、及び前記識別情報を前記データサーバへ送信する信号送信手段を備え、
前記データサーバは、
オン信号又はオフ信号、及び前記識別情報を受信する信号受信手段と、
前記オン信号とともに受信した前記識別情報に対応するメッセージを抽出して、複数の外部の装置に対して出力する出力手段と
を備えることを特徴とする情報記憶システム。
【請求項３】
前記データサーバは、前記識別情報ごとに、オン状態である旨を示す情報を記憶することを特徴とする請求項１又は２に記載の情報記憶システム。
【請求項４】
前記データサーバは、
オン信号を受信した場合、オン状態である旨を示す情報を前記識別情報に対応付けて記憶し、
オフ信号を受信した場合、オン状態である旨を示す情報が前記識別情報に対応付けて記憶されているか否かを判断し、記憶されている場合にはオン状態である旨を示す情報を削除することを特徴とする請求項１乃至３のいずれか一項に記載の情報記憶システム。
【請求項５】
前記データサーバとデータ通信することが可能に接続された端末ユニットを備え、
該端末ユニットは、前記データサーバから出力されたメッセージを表示する表示手段を備えることを特徴とする請求項１乃至４のいずれか一項に記載の情報記憶システム。
【請求項６】
前記端末ユニットは、
表示されているメッセージの削除要求の入力を受け付ける削除要求受付手段と、
削除要求の対象となるメッセージ及び対応する前記識別情報を前記データサーバへ送信する削除要求送信手段と
を備え、
前記データサーバは、
削除要求の対象となるメッセージ及び対応する前記識別情報を受信する削除要求受信手段と、
受信した識別情報に対応するオン状態である旨を示す情報を削除する削除手段と
を備えることを特徴とする請求項５に記載の情報記憶システム。
【請求項７】
前記入力ユニットは、人の存在を検知する人感センサを備え、
該人感センサで人の存在を検知した場合、電力が供給されることを特徴とする請求項１乃至６のいずれか一項に記載の情報記憶システム。
【請求項８】
前記データサーバは、一定時間内に同じ識別情報のオン信号及びオフ信号を所定回数以上受信したか否かを判断し、
受信したと判断した場合、一定時間内に受信した回数が奇数であるか否かを判断し、
奇数であると判断した場合、受信した識別情報に対応するメッセージに緊急度フラグを付して出力することを特徴とする請求項１又は２に記載の情報記憶システム。
【請求項９】
オン信号又はオフ信号の入力を受け付ける複数の押圧式のスイッチを有する入力ユニットと、
前記スイッチを識別する識別情報とメッセージとを対応付けて記憶し、前記スイッチで受け付けた入力に応じて、対応するメッセージを出力するデータサーバと
を備え、前記入力ユニットと前記データサーバとがデータ通信することが可能に接続されているシステムで実行することが可能な情報記憶方法であって、
前記入力ユニットは、
オン信号又はオフ信号、及び前記識別情報を前記データサーバへ送信し、
前記データサーバは、
オン信号又はオフ信号、及び前記識別情報を受信し、
前記オン信号とともに受信した前記識別情報に対応するメッセージを抽出して出力し、 前記データサーバに記憶されているメッセージを外部から書き換えることができることを特徴とする情報記憶方法。
【請求項１０】
オン信号又はオフ信号の入力を受け付ける複数の押圧式のスイッチを有する入力ユニットと、
前記スイッチを識別する識別情報とメッセージとを対応付けて記憶し、前記スイッチで受け付けた入力に応じて、対応するメッセージを出力するデータサーバと
を備え、前記入力ユニットと前記データサーバとがデータ通信することが可能に接続されているシステムで実行することが可能な情報記憶方法であって、
前記入力ユニットは、
オン信号又はオフ信号、及び前記識別情報を前記データサーバへ送信し、
前記データサーバは、
オン信号又はオフ信号、及び前記識別情報を受信し、
前記オン信号とともに受信した前記識別情報に対応するメッセージを抽出して、複数の外部の装置に対して出力することを特徴とする情報記憶方法。
【請求項１１】
前記データサーバは、前記識別情報ごとに、オン状態である旨を示す情報を記憶することを特徴とする請求項９又は１０に記載の情報記憶方法。
【請求項１２】
前記データサーバは、
オン信号を受信した場合、オン状態である旨を示す情報を前記識別情報に対応付けて記憶し、
オフ信号を受信した場合、オン状態である旨を示す情報が前記識別情報に対応付けて記憶されているか否かを判断し、記憶されている場合にはオン状態である旨を示す情報を削除することを特徴とする請求項９乃至１１のいずれか一項に記載の情報記憶方法。
【請求項１３】
前記データサーバとデータ通信することが可能に接続された端末ユニットを備え、
該端末ユニットは、前記データサーバから出力されたメッセージを表示することを特徴とする請求項９乃至１２のいずれか一項に記載の情報記憶方法。
【請求項１４】
前記端末ユニットは、
表示されているメッセージの削除要求の入力を受け付け、
削除要求の対象となるメッセージ及び対応する前記識別情報を前記データサーバへ送信し、
前記データサーバは、
削除要求の対象となるメッセージ及び対応する前記識別情報を受信し、
受信した識別情報に対応するオン状態である旨を示す情報を削除することを特徴とする請求項１３に記載の情報記憶方法。
【請求項１５】
前記入力ユニットは、人の存在を検知することができ、
人の存在を検知した場合、電力が供給されることを特徴とする請求項９乃至１４のいずれか一項に記載の情報記憶方法。
【請求項１６】
前記データサーバは、一定時間内に同じ識別情報のオン信号及びオフ信号を所定回数以上受信したか否かを判断し、
受信したと判断した場合、一定時間内に受信した回数が奇数であるか否かを判断し、
奇数であると判断した場合、受信した識別情報に対応するメッセージに緊急度フラグを付して出力することを特徴とする請求項９又は１０に記載の情報記憶方法。
【国際調査報告】
2014178156.tif 000018
2014178156.tif 000019
2014178156.tif 000020
2014178156.tif 000021